(57)【特許請求の範囲】
【請求項１】
上下枠と左右の堅枠とで方形に形成された窓枠と、窓枠に開閉自在に取付けた障子と、上下枠の背部に着脱自在に取付けた化粧と断熱を兼ねた上下の枠体と、上下の枠体間にピンを介して回転自在に取付けた網戸とからなる窓に於て、少なくとも下方の枠体は長手方向に沿う溝を有し、この溝の端部に支持板をスライド自在に挿入し、支持板に形成したピン孔と上記上方の枠体側のピン孔との間に網戸の上下端部に起立したピンを回転自在に差し込んだことを特徴とする網戸の取付装置。
【請求項２】
上方の枠体と下方の枠体は長手方向に沿う溝を有し、各溝の端部に相対向する支持板をスライド自在に挿入し、各支持板に形成したピン孔間に網戸の上下端部に起立したピンを回転自在に差し込んだことを特徴とする請求項１の網戸の取付装置。
【請求項３】
支持板には短手方向に二つのピン孔が形成され、支持板の溝に対する挿入方向によってどちらか一方のピン孔に選択的に網戸側のピンが差し込まれる請求項１又は２の網戸の取付装置。
【請求項４】
溝には目板が支持板の端部まで挿入されて化粧を施している請求項１，２又は３の網戸の取付装置。
【発明の詳細な説明】
【０００１】
【発明の属する技術分野】
本発明はビルディング，マンション，一般家屋における壁に設けられた窓に関し、特にこの窓を構成する網戸の取付装置に関する。
【０００２】
【従来の技術】
一般に、ビルディング，マンション，一般家屋の壁には窓枠が固定され、この窓枠に窓たる障子が開閉自在に取付けられ、又この窓枠の室内側たる背部には虫の侵入を防止する網戸が回転自在に取付けられる。
【０００３】
窓枠は上下枠と左右の堅枠とで長方体状に形成され、上記の網戸はこの上下枠間にピン又はヒンジを介して回転自在に支持され、あるいは上下枠に化粧と断熱を兼ねた別の上下枠体が取付けられ、この上下の枠体間にピンを介して網戸が回転自在に取付けられている。
【０００４】
【発明が解決しようとする課題】
上記の一般的な窓によれば機能上特に欠陥があるわけではないが、網戸を取付ける時若干不具合が発生する場合がある。何故ならば網戸はその上下端部にピンを起立し、この上下のピンを上下枠側のピン孔又は化粧用の上下枠体に形成した上下のピン孔に回転自在に差し込むわけであるが、上下枠と左右の堅枠とを組付けて窓枠を形成する時、あるいは化粧用の枠体を窓枠に組付ける場合にわずかな加工誤差，組付誤差があると上下のピン孔同志が同一直線上から若干ずれる場合があり、この状態で網戸側のピンを上下のピン孔に差し込もうとするとピンが一方のピンのみにしか差し込めない状態が発生し、無理に上下のピン孔を上下のピンを差し込むと網戸が撓んだり，変形したり，あるいは斜めに建て付けられたりするからである。
【０００５】
そこで、本発明の目的は窓枠側又は網戸側に若干の加工誤差，組付誤差があっても窓枠に対してスムースに網戸を取付けできるようにした網戸の取付装置を提供することである。
【０００６】
【課題を解決するための手段】
上記目的達成のため、本発明の手段は、上下枠と左右の堅枠とで方形に形成された窓枠と、窓枠に開閉自在に取付けた障子と、上下枠の背部に着脱自在に取付けた化粧と断熱を兼ねた上下の枠体と、上下の枠体間にピンを介して回転自在に取付けた網戸とからなる窓に於て、少なくとも下方の枠体は長手方向に沿う溝を有し、この溝の端部に支持板をスライド自在に挿入し、支持板に形成したピン孔と上記上方の枠体側のピン孔との間に網戸の上下端部に起立したピンを回転自在に差し込んだことを特徴とするものである。
【０００７】
この場合、上下両方の枠体に長手方向に沿う溝を設け、各溝に挿入した支持板のピン孔に網戸側の上下のピンを回転自在に挿入してもよい。
【０００８】
同じく、支持板には短手方向に二つのピン孔が形成され、支持板の溝に対する挿入方向によってどちらか一方のピン孔に選択的に網戸側のピンを差し込んでもよい。
【０００９】
同じく、溝には目板が支持板の端部まで挿入されて化粧を施してもよい。
【００１０】
【発明の実施の形態】
以下、本発明の実施の形態を図にもとづいて説明する。
【００１１】
本発明に係る窓Ａは、ビルディング，マンション，一般家屋等の構築物の壁に対して設置されるものであり、これは壁に対してシーラント４０と断熱材５０を介して取付けられた窓枠１と、窓枠１の中間に回転自在に取付けられた障子２と、窓枠１の背部たる室内側に回転自在に取付けられた網戸３とで構成されている。断熱材５０は無くてもよく、又、障子２は回転窓のみならず、例えば他の公知の外開き窓，すべり出し窓，引違い窓であってもよい。
【００１２】
窓枠１は上枠４と下枠５と左右の堅枠６，７とで長方体状に形成され、上枠４の下面と下枠の上面にはそれぞれ化粧と断熱を兼ねた枠体８，９がそれぞれ着脱自在に取付けられている。
【００１３】
更に左右の堅枠６，７の内側には堅枠と化粧とを兼ねた化粧枠１０，１１が着脱自在に嵌合し、各化粧枠１０，１１の上下端は上記上下の枠体８，９の上面に重ねられている。堅枠６，７と化粧枠１０，１１とは組付後ビス１２，１２を介して躯体側に結合される。
【００１４】
障子２は上下框１３，１４と左右の堅框１５，１６とこれらの框で保持されたガラス板からなる面材１７とからなり、上框１３は窓枠１の上枠４にリンク機構２０を介して回転自在に結合され、同じく下框１４はリンク機構１９を介して窓枠１の下枠５に回転自在に結合されている。障子２はリンク機構１９，２０の位置によって時計方向又は反時計方向のずれの方向に開閉されてもよい。
【００１５】
例えば、図示のように左側の堅框１５の側面には面材１７に対向してハンドル１８が取付けられており、このハンドル１８の押し込み又は引張り操作により障子２自体がリンク機構１９，２０を介して回転しながら開閉される。ハンドル１８はロック機構と連動しており、障子２を閉じた時この障子２の左側をハンドル１８で窓枠１の左堅枠６側にロックするようにしている。
【００１６】
網戸３は障子２を開いた時虫が室内に飛び込むのを防止すると共に空気の還流を許容するものであり、これは上下框２１，２２と、左右の堅框２３，２４と、これらの框で保持された網２５と、右側の堅框２４の上下端に起立するピン２６，２７とからなり、ピン２６，２７を介して上下の枠体８，９に回転自在に取付けられている。
【００１７】
窓枠１を構成する上下枠４，５に結合される上下の枠体８，９は同一の構造に形成されて上下対称に配置され、上枠４に対して上枠体８が、下枠５に対して下枠体９がそれぞれ引掛片４ａ，５ａを介して着脱自在に結合され、ボルトを使用せずに両者が連結されていることにより両者の着脱がスムースに行なえる。上下枠４，５はアルミニューム材で一体成形され、上下枠体８，９は合成樹脂材で成形されるのが好ましいが、両者同じ材質のものを使用してもよい。
【００１８】
上下の枠体８，９は引掛片４ａ，５ａに着脱自在に結合する支持枠８ａ，９ａとこの支持枠８ａ，９ａに一体形成された溝フレーム８ｂ，９ｂとからなり、支持枠８ａと溝フレーム８ｂ、同じく下方の支持枠９ａと溝フレーム９ｂとは階段状に段違いに配置され、各溝フレーム８ｂ，９ｂには長手方向に沿って結露水回収用の溝３０，３０が形成されている。
【００１９】
上記上下の枠体８，９は窓枠１の上下枠４，５にそれぞれ重ねて結合されると共にに各上下の枠体８，９の左右端は窓枠１の堅枠６，７の内壁に目板３２を介して対向している。
【００２０】
上枠体８の溝３０内には目板３１を横方向から差し込んで、又は下方から直接嵌合して溝３０の化粧を施している。同じく下枠体９の溝フレーム９ｂにおける溝３０内には右方向から網戸取付用の支持板３３がスライド自在に挿入され、同じく左方向から目板３４がスライド自在に挿入されて化粧を施している。目板３４は上方から直接溝３０内に嵌合してもよい。
【００２１】
支持板３３に平行に短手方向に向けて二つのピン孔３５，３５が形成され、更に支持板３３の端部に設けたブラケット３６の下部にはガイド板３７がねじ３８を介して結合され、支持板３３はこのガイド板３７を介して溝３０内を移動するようになっている。この場合ねじ３８の下端はガイド板３７を貫通して溝３０に設けた長孔２９に嵌合し、長孔２９の直径分支持板３３を移動できるようにしている。溝３０は両サイドにキー溝が一対形成され、目板３４は下部に設けたフック３４ａ，３４ａをこのキー溝に嵌合してスライドさせるようになっている。
【００２２】
上枠体８に設けたピン孔２８と上記支持板３３に設けた一方のピン孔３５とに網戸３の上下のピン２６，２７を回転自在に挿入させている。支持板３３にピン孔３５，３５が二つ設けられているのは網戸３の取付位置が左右逆になる場合、これに応じて支持板３３を溝３０の左又右方向に挿入して選択的に使用できるようにしたものである。但し、網戸３の開閉形式によってはピン孔３５は一つでもよい。上記溝３０と、支持板３３と、ピン孔３５，３５と、ガイド板３７とねじ３８の構造は上枠体８に採用し、上下の支持板３３のピン孔３５同志に網戸３の上下のピン２６，２７を差し込んでもよい。
【００２３】
上記の支持板３３は窓枠１や網戸３の加工誤差，組付誤差があった場合に、上下のピン孔が同一直線上に一致するように左右に若干移動して上下のピン孔２８，３５の位置を補正するものである。尚、支持板３３は上枠体８の溝３０内に挿入し、下枠体９はピン孔２９を利用してもよく、あるいは上記のように上下両方の溝３０，３０内に支持板３３を挿入してもよい。
【００２４】
上下の枠体８，９はすでに述べたように化粧と、断熱と、結露を防止するものであるが、上枠体９には溝３０を設けず、ピン孔２８のみを設けたものでも使用可能である。
【００２５】
下枠体９の溝３０は窓枠１の堅枠７の表面に結露した水が下方に流れた時これを回収するものであり、この溝３０の任意の位置に孔３９を形成し、この孔３９を介して窓枠１の外側に排水する。
【００２６】
窓枠１の堅枠６，７の内側に縦方向に配置した化粧枠１０，１１は支持枠１０ａ，１１ａと端部の化粧板１０ｂ，１１ｂとを備えている。支持枠１０ａ，１１ａの上下端は階段上に段部Ｐ．Ｑが形成され、これらの段部Ｐ，Ｑはそれぞれ上下枠８，９の支持枠８ａ，９ａと溝フレーム８ｂ，９ｂの上面に当接し、化粧板１０ｂ，１１ｂの上下端は上記段部Ｐ，Ｑより更に上下に延びてそれぞれ上下枠８，９の端部正面に当接し、これにより上下４，５と上下枠体８，９の端部の継目が外部から見えないように化粧が施される。
【００２７】
【発明の効果】
本発明によれば、次の効果がある。
【００２８】
▲１▼各請求項の発明によれば、少なくとも下方の枠体の溝内に支持板がスライド自在に挿入され、この支持板にピン孔が形成されているから、窓枠や網戸に若干の加工誤差，組付誤差があっても、支持板を若干移動することにより上下のピン孔の位置を同一直線上に位置合せでき、これにより網戸の上下のピンを確実に上下のピン孔に回転自在に差し込むことができ、且つスムースに網戸を取付けることができる。
【００２９】
▲２▼請求項２の発明によれば、上下の枠体にそれぞれ支持板をスライド自在に設けているから、一方又は両方の支持板の位置を調整することにより上下のピン孔の位置を微調整できる。
【００３０】
▲３▼請求項３の発明によれば、支持板に二つのピン孔が短手方向に平行に形成されているから、溝に対して支持板を右方向又は左方向どちらか一方から差し込んでも上記二つのピン孔の一方を選択的に使用することができ、これにより網戸の開き方向を時計方向又は反時計方向どちらにも設定できる。
【００３１】
▲４▼請求項４の発明によれば、溝に目板が差し込まれているから、溝を目かくしして化粧を施すことができる。
【図面の簡単な説明】
【図１】本発明に係る窓の斜視図である。
【図２】図１の分解斜視図である。
【図３】図１のＹ−Ｙ線縦断側面図である。
【図４】図１のＸ−Ｘ線横断平面図である。
【図５】下枠と下枠体の一部切欠き拡大斜視図である。
【図６】支持板と目板の取付状態を示す分解斜視図である。
【符号の説明】
１  窓枠
２  障子
３  網戸
４，５  上下枠
６，７  堅枠
８，９  枠体
２６，２７  ピン
２８，３５  ピン孔
３０  溝
３３  支持板
３４  目板
【図１】
0003926453.tif 000002
【図２】
0003926453.tif 000003
【図３】
0003926453.tif 000004
【図４】
0003926453.tif 000005
【図５】
0003926453.tif 000006
【図６】
0003926453.tif 000007